(57)【要約】【課題】両眼視機能検査用の装置を提供する。【解決手段】第１の要素および、第１の要素とは色相および彩度が共通し、かつ、輝度が異なる第２の要素を含む第１の画像と、第１の要素および第２の要素を含み、第１の画像とは異なる位置に形成された第２の画像と、少なくとも第１の画像および第２の画像の周囲を構成する第３の要素と、を含む第１のメディアと、両眼視差を与える第２のメディアとを有する両眼視機能検査装置を提供する。第１の要素は、第２のメディアを通して観察された場合に、第１の画像においては一方の眼で、第２の画像においては他方の眼で観察され、第２の要素は、第２のメディアを通して観察された場合に、第１の画像においては他方の眼で、第２の画像においては前記一方の眼で観察され、第３の要素は、第１の要素と色相および彩度が共通し輝度が第１の要素および前記第２の要素の間である。【選択図】図２
2013183898.tif 000002
【特許請求の範囲】
【請求項１】
第１の要素および、前記第１の要素とは色相および彩度が共通し、かつ、輝度が異なる第２の要素を含む第１の画像と、前記第１の要素および前記第２の要素を含み、前記第１の画像とは異なる位置に形成された第２の画像と、少なくとも前記第１の画像および前記第２の画像の周囲を構成する第３の要素と、を含む第１のメディアと、
両眼視差を与える第２のメディアと、を有し、
前記第１の要素は、前記第２のメディアを通して観察された場合に、前記第１の画像においては一方の眼で、前記第２の画像においては他方の眼で観察され、
前記第２の要素は、前記第２のメディアを通して観察された場合に、前記第１の画像においては前記他方の眼で、前記第２の画像においては前記一方の眼で観察され、
前記第３の要素は、前記第１の要素と色相および彩度が共通し、輝度が前記第１の要素および前記第２の要素の間である、両眼視機能検査装置。
【請求項２】
請求項１において、
前記第２のメディアはレンチキュラーレンズであり、前記第２のメディアを通して観察した前記第１の要素の輝度Ｌ１、前記第２の要素の輝度Ｌ２および前記第３の要素の輝度Ｌ３が以下の式を満たす、両眼視機能検査装置。
０．０５≦（（Ｌ２−Ｌ３）／Ｌ２）／（（Ｌ２−Ｌ１）／（Ｌ２＋Ｌ１））≦０．２０
【請求項３】
請求項２において、
前記第２のメディアを通して観察した前記第１の要素の輝度Ｌ１、前記第２の要素の輝度Ｌ２および前記第３の要素の輝度Ｌ３が以下の式を満たす、両眼視機能検査装置。
０．０７≦（（Ｌ２−Ｌ３）／Ｌ２）／（（Ｌ２−Ｌ１）／（Ｌ２＋Ｌ１））≦０．１７
【請求項４】
請求項２または３において、前記レンチキュラーレンズの最大視野角は２５度である、両眼視機能検査装置。
【請求項５】
請求項２ないし４のいずれかにおいて、前記レンチキュラーレンズの厚みが少なくとも０．７ｍｍである、両眼視機能検査装置。
【請求項６】
請求項１ないし５のいずれかにおいて、前記第１の要素は色相および彩度を含まない、両眼視機能検査装置。
【請求項７】
請求項１ないし６のいずれかにおいて、前記第１の画像は、第１の方向に第１の間隙を開けて延びた複数の第１の線分を含み、前記第２の画像は、前記第１の方向と交差する第２の方向に前記第１の間隙と交差する第２の間隙を開けて延びた複数の第２の線分を含む、両眼視機能検査装置。
【請求項８】
請求項７に記載の両眼視機能検査装置の前記第１の画像および前記第２の画像を被検査者に観察させることと、
前記被検査者が観察する前記第１の線分および前記第２の線分の交差位置により前記被検査者の両眼視機能を判断することとを有する、検査方法。
【発明の詳細な説明】
【技術分野】
【０００１】
本発明は、斜視、同時視などの両眼視機能の検査装置および方法に関するものである。
【背景技術】
【０００２】
特許文献１には、斜視の度合いを客観的に計測することができる両眼視機能検査装置を提供することが記載されている。特許文献１の両眼視機能検査装置は、基準画像および指標画像のうち、いずれか一方を左眼用画像とし、他方を右眼用画像として、３次元表示装置に表示させる表示手段、基準画像の所定の基準位置と指標画像の表示位置とが一致するように、指標画像の表示位置を移動させるための移動指令を、被検査者によって入力させるための第１入力手段、第１入力手段からの移動指令に基づいて、指標画像の表示位置を移動させる指標画像移動手段、基準画像の基準位置と指標画像の表示位置とが一致したと被検査者が視覚認識したときに、その旨を示す確認入力を被検査者に行わせるための第２入力手段、および確認入力があったときに、基準画像の基準位置に対する指標画像のずれ量を算出する算出手段を備えている。
【先行技術文献】
【特許文献】
【０００３】
【特許文献１】特開平１０−９４５１５号公報
【発明の概要】
【発明が解決しようとする課題】
【０００４】
斜視、同時視などの両眼視機能を、簡易に精度よく検査できる装置が要望されている。
【課題を解決するための手段】
【０００５】
本発明の一態様は、第１の要素および、第１の要素とは色相および彩度が共通し、かつ、輝度が異なる第２の要素を含む第１の画像と、第１の要素および第２の要素を含み、第１の画像とは異なる位置に形成された第２の画像と、少なくとも第１の画像および第２の画像の周囲を構成する第３の要素とを含む第１のメディアと、両眼視差を与える第２のメディアとを有する両眼視機能検査装置である。第１の要素は、第２のメディアを通して観察された場合に、第１の画像においては一方の眼で、第２の画像においては他方の眼で観察され、第２の要素は、第２のメディアを通して観察された場合に、第１の画像においては他方の眼で、第２の画像においては前記一方の眼で観察され、第３の要素は、第１の要素と色相および彩度が共通し輝度が第１の要素および第２の要素の間である。
【０００６】
両眼視機能検査装置においては、第１のメディアに設けられた第１の画像および第２の画像を第２のメディアを通して左右それぞれの眼で観察することにより両眼視機能を検査する。第１の画像が左眼用の画像であるとすると、第１の画像を左眼が観察するときに、第２の画像は左眼で観察されないことが望ましい。しかしながら、第２のメディアで、右眼用の第２の画像を左眼から完全に観察されないようにすることは不可能であり、通常、第１の要素が第２の要素に漏れこんで観察されるクロストークが発生する。このため、第１の画像に対し、第２の要素に対して観察される第１の要素の比は大幅に低下するが、左眼でも第２の画像が認識される。
【０００７】
この両眼視機能検査装置では、本来観察されない予定の画像がクロストークにより観察される輝度と同じまたはそれに近い輝度の第３の要素を、第１の画像および第２の画像の回りに配置する。クロストークにより観察される画像は、背景となる第３の要素と色相および彩度が共通し、輝度も共通または非常に近くなる。このため、クロストークにより観察される画像が被検査者の脳で認識されるのを抑制でき、左眼で観察された画像と、右眼で観察された画像とが融像されるのを抑制できる。したがって、左右の眼の機能を分離でき、両眼視機能をより精度よく、簡易に検査できる。
【０００８】
両眼視差を与える第２のメディアはパララックスバリアであってもよいが、輝度を確保できる点ではレンチキュラーレンズが好ましい。検査装置において左右の眼で認識させる第１の画像および第２の画像の背景の輝度（第３の要素の輝度）を制御し、クロストークにより観察させる画像を背景に埋没させることで、レンチキュラーレンズなどの簡易な両眼視差を与える第２のメディア（部材）を用いて精度の高い検査装置を提供できる。
【０００９】
第２のメディアを通して観察した第１の要素の輝度Ｌ１、第２の要素の輝度Ｌ２および第３の要素の輝度Ｌ３は以下の式を満たすことが望ましい。
０．０５≦（（Ｌ２−Ｌ３）／Ｌ２）／（（Ｌ２−Ｌ１）／（Ｌ２＋Ｌ１））≦０．２５
・・・（１）
この範囲を超えると、第３の要素の輝度Ｌ３と、クロストークにより観察される画像の輝度との差が大きくなり過ぎて、クロストークにより観察される画像が認識されやすい。このため、融像刺激を抑制しにくい。
【００１０】
（１）式は、さらに、以下であること望ましい。
０．１≦（（Ｌ２−Ｌ３）／Ｌ２）／（（Ｌ２−Ｌ１）／（Ｌ２＋Ｌ１））≦０．２
・・・（１´）
レンチキュラーレンズの最大視野角は２５度であることが望ましい。クロストークが大きくなるので、クロストークにより観察される画像が認識されやすい。レンチキュラーレンズの一例は、厚みが少なくとも０．７ｍｍのものである。
【００１１】
第１の要素は色相および彩度を含まない無彩色であることが望ましい。第１の要素は、典型的には最も輝度が低い黒であることが望ましい。第２の要素は、第１の要素と色相および彩度が共通する無彩色で輝度が異なることが望ましい。第２の要素は、典型的には最も輝度が高い白であることが望ましい。この明細書において無彩色とは、ＣＩＥｘｙ色度図においてｘおよびｙがそれぞれ０．２〜０．４の範囲であり、さらに望ましくは、ｘおよびｙがそれぞれ０．２５〜０．３５の範囲である。第３の要素は、第１の要素と色相および彩度が共通する無彩色で、輝度が第１の要素と第２の要素との間であることが望ましい。第３の要素は典型的にはグレーであることが望ましい。
【００１２】
第１のメディアに設けられる第１の画像の典型的なものは、第１の方向に第１の間隙を開けて延びた複数の第１の線分を含む図形である。また、第２の画像の典型的なものは、第１の方向と交差する第２の方向に第１の間隙と交差する第２の間隙を開けて延びた複数の第２の線分を含むものである。
【００１３】
この両眼視機能検査装置を用いた検査方法は、以下の工程を含む。
・両眼視機能検査装置の第１の画像および第２の画像を被検査者に観察させること。
・被検査者が観察する第１の線分および第２の線分の交差位置により被検査者の両眼視機能を判断すること。
【００１４】
この検査方法において、被検査者が観察する第１の線分および第２の線分の有無により同時視を判断でき、交差位置により斜視を判断できる。
【図面の簡単な説明】
【００１５】
【図１】両眼視機能検査装置の概略構成を示す図。
【図２】検査装置に形成された画像を示す図。
【図３】検査原理の概要を示す図。
【図４】検査原理の概要を示す図。
【図５】クロストークが発生したときの影響を示す図。
【図６】検査装置によりクロストークの影響が抑制される様子を示す図。
【図７】実験結果を示す図。
【図８】視野角を説明する図。
【図９】瞳孔間距離と視野角との関係を示す図。
【図１０】レンチキュラー板の厚みと視野角との関係を示す図。
【図１１】検査方法を示すフローチャート。
【発明を実施するための形態】
【００１６】
図１に、両眼視機能検査装置の概略構成を示している。この両眼視機能検査装置（検査装置）３０は、両眼視機能検査用の第１の画像および第２の画像が異なる位置に形成された第１のメディア１０と、両眼視差を与える第２のメディア２０とを有する。典型的な第１のメディア１０は、画像が印刷された紙（記録用紙、印刷媒体）である。第１のメディア１０は、ＬＣＤ（液晶表示装置）などの画像表示装置であってもよい。典型的な第２のメディア２０は複数の蒲鉾状またはシリンドリカルなレンチキュラーレンズ２１が並列配置されたシート状のレンチキュラーレンズ（レンチキュラー板）２２である。レンチキュラー板２２はプラスチック成型板であってもよく、印刷などの他の方法によりレンズ２１が成形されたものであってもよい。レンチキュラー板２２と印刷された第１のメディア１０との組み合わせをレンチキュラーと称することがある。
【００１７】
第１のメディア１０には、両眼視差を発生させるレンチキュラー板２２により左眼１で観察される左眼用要素１８と、右眼２で観察される右眼用要素１９とが印刷または表示される。第１のメディア１０には、複数の左眼用要素１８と右眼用要素１９とが、レンチキュラーレンズ２１の視野角で分離される程度の間隔で相互に隣接するように形成される。なお、以降においては、第１のメディア１０が印刷媒体であるとして説明する。図１に示すように、左眼１の網膜には左眼用要素１８により形成される網膜像１ａが形成され、右眼２の網膜には右眼用要素１９により形成される網膜像２ａが形成される。
【００１８】
図２に、第１のメディア１０の表面１０ａに形成された画像を示す。第１のメディア１０は、左眼１で観察される第１の画像１５と、右眼２で観察される第２の画像１６とを含む。第１の画像１５および第２の画像１６は第１のメディア１０の表面（第２のメディア２０を向いた面）１０ａの相互に重ならない異なる位置に形成（印刷、出力）されている。具体的には、第１の画像１５は、図２の縦方向（第１の方向）Ｘに、第１の間隙１５ｂを開けて直線的に並んだ２つの第１の線分１５ａを含む。第２の画像１６は、図２の横方向（第２の方向）Ｙに、第２の間隙１６ｂを開けて並んだ２つの第２の線分１６ａを含む。第１の画像１５と第２の画像１６とは、中央、すなわち、第１の間隙１５ｂおよび第２の間隙１６ｂの中央の位置で直交している。なお、左眼用の第１の画像１５と、右眼用の第２の画像１６とが入れ替わっていてもよい。
【００１９】
左眼用の第１の画像１５は、左眼１により観察され、右眼２により観察されないことが望ましい。したがって、第１の画像１５については、左眼１によりレンチキュラー板２２を介して観察される左眼用要素１８に第１の画像１５を構成する第１の要素１１が付される。また、第１の画像１５の左眼１によりレンチキュラー板２２を介して観察されず、右眼２により観察される右眼用要素１９には、右眼２に図形として観察されない第２の要素１２が付される。具体的には、第１の要素１１は輝度Ｌ１が低い無彩色の黒または灰色（以降では、輝度Ｌ１の低い灰色を含めて黒と呼ぶ）であり、第２の要素１２は輝度Ｌ２が高い無彩色の白または灰色（以降では、輝度Ｌ２の高い灰色を含めて白と呼ぶ）である。すなわち、第１の線分１５ａが、左眼用要素１８に付された黒色の第１の要素１１により形成され、右眼用要素１９には白色の第２の要素１２が付されている。第１の要素１１と第２の要素１２とが入れ替わっていてもよい。
【００２０】
右眼用の第２の画像１６は、右眼２により観察され、左眼１により観察されないことが望ましい。したがって、第２の画像１６については、右眼２によりレンチキュラー板２２を介して観察される右眼用要素１９に第２の画像１６を構成する第１の要素１１が付される。また、第２の画像１６の右眼２によりレンチキュラー板２２を介して観察されず、左眼１により観察される左眼用要素１８には、左眼１に図形として観察されない第２の要素１２が付される。具体的には、第２の線分１６ａが、右眼用要素１９に付された黒色の第１の要素１１により形成され、左眼用要素１８には白色の第２の要素１２が付されている。
【００２１】
さらに、第１のメディア１０の表面１０ａには、第１の画像１５および第２の画像１６の周囲を含めた領域に背景色として第３の要素１３が形成（印刷、出力）されている。第３の要素１３は、第１の要素１１および第２の要素１２と色相および彩度が共通し、輝度Ｌ３が第１の要素１１の輝度Ｌ１および第２の要素１２の輝度Ｌ２の間である。本例では、第３の要素１３は、無彩色で、輝度Ｌ３が中間の灰色である。
【００２２】
図３に、両眼視機能検査の概略を示している。被検査者９が斜視も同時視も正常であれば、被検査者９が検査装置３０を見たときに、第２のメディア２０を介して、左眼１で左眼用の第１の画像１５の網膜像１ａが得られ、右眼２で右眼用の第２の画像１６の網膜像２ａが得られる。これらの網膜像１ａおよび２ａは両眼単一眼として脳で合成され、脳知覚像５として第１の画像１５および第２の画像１６とが中央で交差した図形が得られる。
【００２３】
図４に示すように、外斜視の被検査者９が検査装置３０を見たとき、第２のメディア２０を介して、左眼１で左眼用の第１の画像１５の網膜像１ａが得られ、右眼２で右眼用の第２の画像１６の網膜像２ａが得られる。しかしながら、外斜視の被検査者９においては、右眼２の網膜像２ａの第２の画像１６は視位がずれた方向を中心として位置が把握される。したがって、脳知覚像５として、第１の画像１５の中心と、第２の画像１６の中心とがずれた図形が得られる。このため、被検査者９が検査装置３０を観察したときの画像を確認することにより、斜視の有無を判断できる。また、被検査者９により第１の画像１５または第２の画像１６の一方のみが観察される結果になれば、同時視の異常を確認できる。
【００２４】
図５に、第１のメディア１０の背景が第１の画像１５および第２の画像１６を構成する第２の要素１２、すなわち白（白色）により形成された検査装置３１を用いて検査をした様子を示している。左眼１で右眼用の第２の画像１６を観察したとき、第２の画像１６の左眼用要素１８は白になっている。したがって、第１のメディア１０の背景と同色であり、左眼１で右眼用の第２の画像１６は認識されないはずである。しかしながら、レンチキュラー板２２の分離能力（両眼視差）が十分であっても、右眼用要素１９に付された第１の要素（黒色）１１の漏れ出しがあり、クロストークが発生する。
【００２５】
このため、被検査者９が検査装置３１を見たときに、第２のメディア２０を介して、左眼１では、左眼用の第１の画像１５に加え、右眼用の第２の画像１６のクロストーク像１６´を含む網膜像１ａが得られる。右眼２では、右眼用の第２の画像１６に加え、左眼用の第１の画像１５のクロストーク像１５´を含む網膜像２ａが得られる。網膜像１ａに第１の画像１５と第２の画像１６（クロストーク像１６´）とが中央で交差した画像が得られ、網膜像２ａにも第１の画像１５（クロストーク像１５´）と第２の画像１６とが中央で交差した画像が得られる。網膜像１ａおよび２ａの図形の同一性は、融像刺激になる。このため、脳知覚像５として、被検査者９が外斜視であっても、網膜像１ａおよび２ａの画像が重なった画像が得られる。したがって、被検査者９の外斜視などの両眼視機能の異常が判断されにくい。
【００２６】
図６に、本例の検査装置３０を用いて検査した様子を示している。本例の検査装置３０は、第１のメディア１０の背景が第１の画像１５および第２の画像１６を構成する第１の要素１１および第２の要素１２の間の輝度Ｌ３を備えた第３の要素１３により形成されている。このため、被検査者９が検査装置３０を見たときに、第２のメディア２０を介して、左眼１では、左眼用の第１の画像１５、右眼用の第２の画像１６のクロストーク像１６´に加え、背景の第３の要素１３を含む網膜像１ａが得られる。右眼２では、右眼用の第２の画像１６、左眼用の第１の画像１５のクロストーク像１５´に加え、背景の第３の要素１３を含む網膜像２ａが得られる。
【００２７】
このため、左眼１の網膜像１ａとしては、クロストーク像１６´が背景の第３の要素１３に埋没し、線分が垂直方向に延びた第１の画像１５が認識される。また、右眼２の網膜像２ａとしては、クロストーク像１５´が背景の第３の要素１３に埋没し、線分が水平方向に延びた第２の画像１６が認識される。このため、網膜像１ａおよび２ａの融像刺激は抑制され、右眼２の視位がシフトした状態で網膜像１ａおよび２ａが融合し、脳知覚像５として、第１の画像１５および第２の画像１６が中央で交わっていない図形が得られる。したがって、被検査者９の外斜視などの両眼視機能の異常を判断しやすい。
【００２８】
図７に、マークが背景に埋没する状態を確認した実験結果を示している。この実験では、第１の要素１１の黒（黒色）をレンチキュラー板２２を介して観察したときの輝度Ｌ１を０とし、第２の要素１２の白（白色）をレンチキュラー板２２を介して観察したときの輝度Ｌ２を１００とし、第１の要素１１の黒が１５％程度漏れ出すことによりクロストーク像１５´および１６´が形成されるとしている。したがって、クロストーク像１５´および１６´の輝度Ｌｃは８５、すなわち、第２の要素１２の輝度Ｌ２と第１の要素１１の輝度Ｌ１との差の８５％となる。クロストーク像１５´および１６´は、第１の要素１１の黒が１０〜１５％程度漏れ出すことにより形成されることが多い。したがって、クロストーク像１５´および１６´の輝度Ｌｃは、第２の要素１２の輝度Ｌ２と第１の要素１１の輝度Ｌ１との差の９０〜８５％になることが多い。
【００２９】
この実験においては、背景を構成する第３の要素１３をレンチキュラー板２２を介して観察したときの輝度Ｌ３を、以下の範囲で変動させて効果を確認した。
０．０≦α≦０．２０・・・（２）
αは背景輝度係数であり、第２の要素１２の輝度Ｌ２と第３の要素１３の輝度Ｌ３の差分を第２の要素１２の輝度Ｌ２でノーマライズした値と、画像（信号）を形成する第１の要素１１と第２の要素１２とのコントラストＣｓの比である。係数αは第２の要素１２と第３の要素１３とのコントラストと、画像のコントラストＣｓとの比であってもよい。
【００３０】
すなわち、背景輝度係数αは以下の式（３）で与えられる。
α＝（（Ｌ２−Ｌ３）／Ｌ２）／Ｃｓ・・・（３）
ただし、コントラストＣｓは以下の式（４）である。
Ｃｓ＝（Ｌ２−Ｌ１）／（Ｌ２＋Ｌ１）・・・（４）
したがって、第３の要素１３の輝度Ｌ３は以下のように表される。
Ｌ３＝Ｌ２（１−α・Ｃｓ）・・・（５）
【００３１】
図７において、サンプル１は、背景の輝度Ｌｂが１００に対してマークの輝度Ｌｍが８５のときに、背景にマークが埋没して見えるか否かを異なる評価者Ａ〜Ｃにより観察させた。本例では、プロジェクタを用い、スクリーンに無彩色を０〜２５５階調で表示し、表示された画像の輝度を輝度計で測定した。最も輝度が高い画像を１００とし、最も輝度が低い画像の輝度を０として、相対的な輝度が５ピッチで変化する階調を求め、所定の輝度を備えた背景とマークとの組み合わせをスクリーンに表示して評価者に観察させた。評価基準は以下の通りである。
◎：背景の輝度Ｌｂと、マークの輝度Ｌｍとが同じで区別しにくい。
○：背景の輝度Ｌｂと、マークの輝度Ｌｍとがほぼ同じに感ずる。
△：背景の輝度Ｌｂと、マークの輝度Ｌｍと間にわずかな差を感じ、マークが薄く観察される。
×：背景の輝度Ｌｂと、マークの輝度Ｌｍと間に差があり、マークが観察される。
【００３２】
サンプル１は、マークの輝度Ｌｍがクロストーク像に相当する８５であり、背景の輝度Ｌｂは第２の要素１２の輝度Ｌ２に相当する１００である。背景輝度係数αが０のケースであり、図５に示した検査装置３１に相当する。
【００３３】
いずれの評価者もマークが観察されると判断した。したがって、検査装置３１ではクロストークにより左右の眼で同一の図形が観察される可能性が高く、両眼視機能を精度よく検査し難いことがわかる。
【００３４】
サンプル２は、マークの輝度Ｌｍがクロストーク像に相当する８５であり、背景の輝度Ｌｂは９０である。背景輝度係数αは０．１０となる。いずれの評価者も評価は◎または○でありマークをほぼ観察できなかった。したがって、検査装置３０において、背景を構成する第３の要素１３の輝度Ｌ３を９０、すなわち、背景輝度係数αを０．１０に設定すると、クロストーク像が観察されず、両眼視機能を精度よく検査できることがわかる。
【００３５】
サンプル３は、マークの輝度Ｌｍがクロストーク像に相当する８５であり、背景の輝度Ｌｂは８５である。背景輝度係数αは０．１５となる。いずれの評価者も評価は◎または○でありマークをほぼ観察できなかった。したがって、検査装置３０において、背景を構成する第３の要素１３の輝度Ｌ３を８５、すなわち、背景輝度係数αを０．１５に設定すると、クロストーク像が観察されず、両眼視機能を精度よく検査できることがわかる。
【００３６】
サンプル４は、マークの輝度Ｌｍがクロストーク像に相当する８５であり、背景の輝度Ｌｂは８０である。背景輝度係数αは０．２０となる。いずれの評価者も評価は△でありマークが背景に埋没するが、若干は観察できる程度であった。したがって、検査装置３０において、背景を構成する第３の要素１３の輝度Ｌ３を８０、すなわち、背景輝度係数αを０．２０に設定すると、クロストーク像は若干観察されるが、両眼視機能にはほとんど影響せず、十分な精度で検査できると考えられる。
【００３７】
サンプル５は、マークの輝度Ｌｍがクロストーク像に相当する８５であり、背景の輝度Ｌｂは７５である。背景輝度係数αは０．２５となる。いずれの評価者も評価は×でありマークが観察されると判断した。したがって、クロストークにより左右の眼で同一の図形が観察される可能性が高く、両眼視機能を精度よく検査し難いことがわかる。
【００３８】
これらの結果より、検査装置３０の背景の輝度係数αは、０．０５〜０．２０の範囲が好ましいと判断される。輝度係数αの下限は０．０７以上であることがさらに好ましく、０．１０以上であることがいっそう好ましい。また、輝度係数αの上限は０．１７以下であることがさらに好ましく、０．１５以下であることがいっそう好ましい。
【００３９】
以上のように、検査装置３０において左右の眼で認識させる第１の画像１５および第２の画像１６の背景の輝度（第３の要素１３の輝度Ｌ３）を上記の範囲に設定することにより、クロストーク像の影響を抑制できることが分かった。これらの第１の画像１５、第２の画像１６および背景を構成する第１の要素１１、第２の要素１２および第３の要素１３は、クロストーク像を背景に埋没させるため色相および彩度が共通することが望ましい。さらに、色相および彩度の影響を抑制するために、第１の要素１１、第２の要素１２および第３の要素１３は無彩色であることが好ましい。たとえば、マンセル色立体の無彩色に含まれる要素である。
【００４０】
無彩色、特に白（白色）の範囲については、「ＬＥＤの視覚特性の研究」（中島賛太郎、平成１８年仰岳会会報第３８号）において検討されている。この研究に基づくと、無彩色は、ＣＩＥｘｙ色度図においてｘおよびｙがそれぞれ０．２〜０．４の範囲であり、さらに望ましくは、ｘおよびｙがそれぞれ０．２５〜０．３５の範囲である。
【００４１】
検査装置３０において、左右の眼で観察されるクロストーク像１５´および１６´を第３の要素（背景の要素）１３で除去するためには、クロストーク像１５´および１６´の輝度が高くなるのを抑制することが重要である。両眼視差を与える第２のメディア２０としてレンチキュラーレンズ（レンチキュラー板）２２を採用する場合、レンチキュラー板２２の厚さｔにより左右の眼１および２により画像が得られる視野角θが変わることが知られている。レンチキュラー板２２の厚さｔが大きくなれば、視野角θが小さくなり、左右の眼１および２で得られる画像が分離されやすくなるので、クロストークの輝度が高くなるのを抑制できる。一方、視野角θが小さくなれば、レンチキュラー板２２を通して得られる画像の輝度は低下しやすい。被検査者（被験者）９において、視野角θは、左右の瞳孔間距離ＰＤと、瞳孔から検査装置３０までの距離Ｄにより決まる。
【００４２】
図８に被験者９の視野角θｏと検査装置３０の視野角θｄとの関係を示している。被験者９の左右の眼１および２の瞳孔間距離ＰＤおよび距離Ｄにより決まる視野角θｏに対して検査装置３０の視野角θｄが大きいと、クロストークが大きくなりやすい。検査装置３０においては、レンチキュラー板２２の厚みｔが大きくなると、視野角θｄは小さくなる。
【００４３】
図９に、被験者９の視野角θｏを示している。瞳孔間距離ＰＤが比較的広く、検査装置３０を近い位置で観察する被験者９においては、検査装置３０の視野角θｄの最大は２５度であってもよい。しかしながら、被験者９の瞳孔間距離ＰＤは一般に７５ｍｍ程度以下である。したがって、検査装置３０の視野角θｄは２２度以下であることが望ましい。さらに、検査装置３０との間の距離Ｄを大きくして観察する被験者９または瞳孔間距離ＰＤのさらに小さな被験者９を考慮すると、検査装置３０の視野角θｄは２０度以下であることが望ましく、１７度以下であることがさらに好ましい。一方、視野角θｄが小さくなり過ぎると信号輝度が低下するので、検査装置３０の視野角θｄは７度以上であることが望ましく、１０度以上であることがさらに望ましい。
【００４４】
図１０に、レンチキュラー板（レンチキュラーレンズ）２２の厚みと視野角との関係を示している。このレンチキュラー板２２を用いた検査装置３０においては、レンチキュラー板２２の厚みｔは、視野角θｄを２５度以下にするために０．７０ｍｍ以上であることが望ましく、視野角θｄを２２度以下にするために０．８０ｍｍ以上であることがさらに望ましく、視野角θｄを２０度以下にするために０．８５ｍｍ以上であることがいっそう望ましい。さらに、視野角θｄを１７度以下にするために、レンチキュラー板２２の厚みｔは、０．９０ｍｍ以上であることが好ましい。また、本図に示されていないが、７度以上の視野角θｄを確保するためにレンチキュラー板２２の厚みｔは２．０ｍｍ以下であることが望ましく、視野角θｄを１０度以上にするためにレンチキュラー板２２の厚みｔは１．５ｍｍ以下にすることが望ましい。
【００４５】
図１１に、検査装置３０を用いた検査方法をフローチャートにより示している。ステップ５１において、両眼視機能検査用の装置３０を被験者９に見せ、第１の画像１５および第２の画像１６を観察させる。ステップ５２において、被験者９が観察する第１の画像１５および第２の画像１６の関係より被験者９の両眼視機能を判断する。具体的には、第１の線分１５ａおよび第２の線分１６ａの交差位置がそれぞれの画像の中心であれば被験者９の両眼視機能、特に、斜視および同時視については異常がないと判断される。一方、交差位置がずれていれば、被験者９がいずれかの方向の斜視であることが懸念され、一方の線分が観察されないときは同時視に異常があることが懸念される。
【００４６】
以上に説明したように、検査装置３０においては左右の眼１および２で認識させる第１の画像１５および第２の画像１６の背景の輝度（第３の要素１３の輝度Ｌ３）を制御している。このため、左右の眼１および２で第１の画像１５および第２の画像１６を観察したときのクロストークを背景に埋没させることが可能となる。したがって、レンチキュラーレンズ（レンチキュラー板）２２などの簡易な両眼視差を与える第２のメディア（部材）２０を用いて精度の高い検査装置３０を提供できる。
【符号の説明】
【００４７】
１０    第１のメディア、  ２０  第２のメディア、  ３０  両眼視機能検査装置
【図１】
2013183898.tif 000003
【図２】
2013183898.tif 000004
【図３】
2013183898.tif 000005
【図４】
2013183898.tif 000006
【図５】
2013183898.tif 000007
【図６】
2013183898.tif 000008
【図７】
2013183898.tif 000009
【図８】
2013183898.tif 000010
【図９】
2013183898.tif 000011
【図１０】
2013183898.tif 000012
【図１１】
2013183898.tif 000013